(57)【要約】    【課題】節の固着状態が発生した場合に釣人が容易にこれを解除することができる釣竿の提供。    【解決手段】この釣竿１０は振出式に組み立てられており、元節１７の後端面の硬度を変更する硬度変更機構２７を備える。硬度変更機構２７は、尻栓２５とこれの姿勢変化を許容する保持機構２８とを有する。尻栓２５は円柱状に形成され、一端面３０の硬度が小さく、他端面３２の硬度が大きい。保持機構２８は、この尻栓２５を元節１７の後端部２４に保持する。尻栓２５は、一端面３０又は他端面３２が露出するように保持される。保持機構２８は、元節１７の後端部２４の内側に形成された雌ねじ４７と尻栓２５に設けられた雄ねじ４０とが螺合する構造である。尻栓２５の一端面３０及び他端面３２には、溝４５、４２が設けられている。【選択図】図２
2005210919.tif 000002
【特許請求の範囲】
【請求項１】
元節の後端面の硬度を変更する硬度変更機構が設けられた振出式釣竿。
【請求項２】
上記硬度変更機構は、
硬度の小さい軟面が形成された軟面部及び硬度の大きい硬面が形成された硬面部を有する尻栓と、
当該尻栓を上記軟面が上記元節の後端から露出する第１姿勢又は上記硬面が上記元節の後端から露出する第２姿勢で上記元節の後端部に保持する保持機構とを備えている請求項１に記載の振出式釣竿。
【請求項３】
上記尻栓は、一端面が上記軟面を構成し他端面が上記硬面を構成する円柱状に形成され、
上記保持機構は、上記尻栓の周面に形成された雄ねじ部と、上記元節の後端部の内壁面に形成された雌ねじ部とを備えている請求項２に記載の振出式釣竿。
【請求項４】
上記一端面及び他端面には、溝が設けられている請求項３に記載の振出式釣竿。
【請求項５】
上記尻栓を上記元節に対して位置決めする位置決め手段がさらに設けられている請求項２ないし４のいずれかに記載の振出式釣竿。
【発明の詳細な説明】
【技術分野】
【０００１】
本発明は、釣竿、特に振出式に組み立てられた釣竿の構造に関するものである。
【背景技術】
【０００２】
図６は、従来の一般的な釣竿の正面図である。
この釣竿１は、振出式に組み立てられており、４つの節２〜５を備えている。すなわち、元節２の内部に元上節３が引出可能に挿入されており、同様に第２番節４が元上節３に、第１番節５が第２番節４に挿入されている。釣人は、実釣時において、元節２から各節３〜５を引き出すことによって、釣竿１は定格長さに伸長される。また、各節２〜５は、繊維強化樹脂が細長パイプ状に焼成されることによって構成されており、元節２の後端部には、尻栓６が嵌め込まれている（例えば、特許文献１及び非特許文献１参照）。
【０００３】
なお、この釣竿１は、いわゆるインナーガイドタイプであるので、元節２には釣糸導入ガイド７が設けられている。また、元節２には、釣用リールが装着されるリールシート部８が一体的に形成されている。
【０００４】
【特許文献１】特開２００３−１２５６７７号
【非特許文献１】株式会社シマノ  2003-2004 ISO Fishing Tackle Catalogue（第９〜２８頁）
【発明の開示】
【発明が解決しようとする課題】
【０００５】
各節３〜５が元節２から引き出されたときは、第１番節５の後端部が第２番節４の先端部の内側にかみ合い、同様に第２番節４の後端部及び元上節３の後端部は、それぞれ、元上節３の先端部の内側及び元節２の先端部の内側にかみ合う。このとき、いずれかの節３〜５が強く引き出される等の理由により、隣り合う節同士が強固に嵌合し、固着してしまうことがある。
【０００６】
例えば、元上節３が元節２に対して強固に嵌合してしまった場合には、一般に釣人は、図７が示すように、元節２の後端部、すなわち尻栓６を地面Ｇに衝突させ、それにより発生する衝撃力により元上節３と元節２との嵌合を解除する。他の節同士が強固に嵌合した場合も同様である。
【０００７】
ところで、上記尻栓６は、実釣時において釣人の身体（腹部や腰等）に当接される場合もあることから、一般にゴム等の柔らかい材料で構成されている。したがって、前述のように元節２が地面Ｇに衝突された場合であっても、節同士の強固な嵌合が解除されるための十分な衝撃力が発生せず、釣人は、節同士の嵌合を解除することが困難なこともある。
【０００８】
そこで、本発明の目的は、実釣時において釣人の身体にソフトに接触すると共に、節の固着状態が発生した場合に釣人が容易にこれを解除することができる釣竿を提供することである。
【課題を解決するための手段】
【０００９】
(1) 上記目的が達成されるため、本発明に係る振出式釣竿は、元節の後端面の硬度を変更する硬度変更機構が設けられていることを特徴とするものである。
【００１０】
この構成では、実釣時においては、元節の後端面の硬度が小さく設定される。また、節の固着状態が発生した場合には、硬度変更機構によって元節の後端面の硬度が大きく設定される。したがって、釣人が当該釣竿を把持して元節の後端面を地面等に打ち付けることにより、強い衝撃力が発生し、これにより、当該節の固着状態が容易に解除される。
【００１１】
(2) 上記硬度変更機構は、硬度の小さい軟面が形成された軟面部及び硬度の大きい硬面が形成された硬面部を有する尻栓と、当該尻栓を上記軟面が上記元節の後端から露出する第１姿勢又は上記硬面が上記元節の後端から露出する第２姿勢で上記元節の後端部に保持する保持機構とを備えて構成され得る。
【００１２】
この構成では、尻栓の姿勢が第１姿勢又は第２姿勢に変化されることによって、元節の後端から軟面部又は硬面部が露出し、露出した軟面部の軟面又は硬面部の硬面により元節の後端面が構成される。すなわち、保持機構を介した尻栓の姿勢変化のみによって、元節の後端面の硬度が変更される。しかも、一般に元節には尻栓が設けられるものであるから、この尻栓が硬度変更機構の一部として採用されることにより、当該釣竿の構造が複雑になることはない。
【００１３】
(3) 上記尻栓は、一端面が上記軟面を構成し他端面が上記硬面を構成する円柱状に形成され、上記保持機構は、上記尻栓の周面に形成された雄ねじ部と、上記元節の後端部の内壁面に形成された雌ねじ部とを備えて構成され得る。
【００１４】
この構成では、尻栓が元節の後端部にねじ込まれることによって上記第１姿勢又は第２姿勢に保持される。したがって、尻栓の姿勢変化が容易に行われ、その結果、元節の後端部の硬度が簡単且つ迅速に変更される。
【００１５】
(4) 上記一端面及び他端面には、溝が設けられているのが好ましい。これにより、当該溝に工具等が嵌め込まれることによって、尻栓が元節の後端部により簡単にねじ込まれる。
【００１６】
また、上記尻栓を上記元節に対して位置決めする位置決め手段が設けられていてもよい。これにより、尻栓が元節の後端部にねじ込まれた際に所定の位置で位置決めされるから、尻栓は正確に上記第１姿勢又は第２姿勢に保持される。
【発明の効果】
【００１７】
以上のように本発明によれば、釣竿を構成する元節の後端部の硬度が小さく設定されることにより、実釣時において元節の後端部が釣人の身体にソフトに当接し、釣人にとって当該釣竿は、使い心地の良いものとなる。一方、釣竿を構成する節に固着状態が発生した場合には、元節の後端部の硬度が大きく設定されるので、釣人が元節の後端部を地面等に打ち付けることによって、それにより発生する衝撃力で当該固着状態が容易に解除される。
【発明を実施するための最良の形態】
【００１８】
以下、適宜図面が参照されつつ、好ましい実施形態に基づいて本発明が詳細に説明される。
【００１９】
図１は、本発明の一実施形態に係る釣竿の正面図である。
この釣竿１０は、振出式インナーガイドタイプであって、磯釣り用に使用されるための構造を備えている。釣竿１０は、釣竿本体１１と、リールシート１２とを備えている。このリールシート１２は、釣用リールを保持するものであるが、釣人が実釣時に実際に釣竿１０を把持する部分でもあり、いわゆるグリップを兼ねている。なお、本発明は、インナーガイドタイプの磯釣り用釣竿に限定して適用されるものではなく、振出式に組み立てられた釣竿に広く適用される。
【００２０】
釣竿本体１１は、５つの筒状部材１３〜１７から構成されている。各筒状部材１３〜１７は、それぞれ「節」と称され、釣竿本体１１の先端側から順に第１番節１３、第２番節１４と称される。第４番節１６は、特に「元上節」と称され、第５番節１７は、特に「元節」と称される。各節１３〜１７は、既知の要領で構成される。例えば、カーボン繊維強化樹脂（カーボンプリプレグ）が所定形状に裁断され、これが筒状に巻回焼成されることによって、円筒状の節１３〜１７が形成される。
【００２１】
この釣竿１０では、第４番節１６（すなわち元上節１６）が第５番節１７（すなわち元節１７）に対して伸縮するズーム機構が搭載されている。もっともこのズーム機構は任意的なものであって、当該機構は省略される場合もある。
【００２２】
第１番節１３は第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３が第２番節１４から引き出された際に、第１番節１３の後端部分が第２番節１４の先端部分とかみ合って両者が固定されるようになっている。なお、第２番節１４と第３番節１５との関係及び第３番節１５と元上節１６との関係も同様である。
【００２３】
第２番節１４ないし元節１７の先端部には、当該部分の剛性を向上させ、隣り合う節のかみ合いを確実なものとするために、リングＲ１〜Ｒ４が装着されている。また、元上節１６の先端側の所定位置には図示しない釣糸導入孔が設けられており、この釣糸導入孔に釣糸を導くための導入ガイド１９が取り付けられている。なお、上記トップガイド１８及び導入ガイド１９は、既知の構成であるので、その詳しい説明は省略される。
【００２４】
リールシート１２は、元節１７に設けられており、両者は、一体的に形成されている。このリールシート１２は、釣用リールを着脱自在に保持するためのものであって、前述のように、実釣において釣人が実際に釣竿１０を把持する部分（グリップ）を兼ねている。リールシート１２は、釣用リールの脚部の一方を収容保持するフード２１と、脚部の他方を収容保持する可動フード２２とを備えている。可動フード２２は、釣用リールが載置される載置面２３に沿って図中左右にスライド可能となっている。そして、可動フード２２が図中左右にスライドすることにより、可動フード２２とフード２１との間で釣用リールの脚部が挟持され、固定されるようになっている。なお、かかるリールシート２０の構造についても既知であるので、その詳しい説明は省略される。
【００２５】
元節１７は、前述のように円筒状に形成されており、その後端部２４に尻栓２５が設けられている。本実施形態に係る釣竿１０の特徴とするところは、この元節１７の後端面２６の硬度を変更する硬度変更機構２７が備えられている点である。これにより、当該後端面２６の硬度が小さいときは、釣竿１０の後端が釣人の身体にソフトに当接される。また、仮に取り合う節同士の固着状態が生じた場合には、当該後端面２６の硬度が大きく設定されることにより、釣人は、当該固着状態を容易に解除することができる。
【００２６】
図２は、元節１７の要部拡大分解正面図であり、元節１７の後端部分の構造が詳細に図示されている。
元節１７には上記尻栓２５と、尻栓２５を保持する保持機構２８とが設けられており、これら尻栓２５及び保持機構２８によって上記硬度変更機構２７が構成されている。なお、本実施形態では、この元節１７の後端部２４にカバー２９が設けられており、後端部２４の端面処理（主として装飾）が行われている。このカバー２９は、省略されてもよいことは勿論である。
【００２７】
尻栓２５は、円柱状に形成されており、一端面３０（軟面）が柔らかく形成された軟面部３１と、他端面３２（硬面）が硬く形成された硬面部３３とを備えている。以下では、この一端面３０が軟面３０と称され、他端面３２が硬面３２と称される。
【００２８】
図３は尻栓２５の分解斜視図であり、図４は斜視図である。
これらの図が示すように、尻栓２５は、本体３４と蓋３５とを備えている。本体３４は、器状に形成されており、一端側に開口３６が設けられ、当該開口３６に連続して蓋収容部３７が形成されている。蓋３５は、この蓋収容部３７に嵌め込まれるようになっている。
【００２９】
本体３４は、大径部３８及びこれの他端側に設けられた小径部３９とを有し、これらはステンレス鋼により一体的に形成されている。本体３４の材質は、ステンレス鋼に限定されるものではなく、他の種々の金属材料が採用され得る。また、本体３４は、金属により構成される他に、硬度がＪＩＳ  Ｋ６２５３のタイプＤデュロメータで９０度以上の樹脂、典型的には、ポリブチレンテレフタレート（ＰＢＴ）、アクリロニトリル−ブタジエン−スチレン共重合体（ＡＢＳ）、ナイロン等が採用され得る。大径部３８の周面には雄ねじ４０が形成されている。小径部３９は、大径部３８に連続して軸方向に突出形成されており、両者間には段部４１が形成されている。この小径部３９は、上記硬面部３３を構成している。また、小径部３９の硬面３２の中央には、細長の溝４２が設けられている。この溝４２の幅寸法は、コインやドライバー等の工具が係合されるように設定されている。
【００３０】
蓋３５は、嵌合部４３及びフランジ部４４を備えており、これらはアクリルニトリル−ブタジエンゴム（ＮＢＲ）により一体的に形成されている。蓋３５の材質は、ＮＢＲに限定されるものではなく、硬度がＪＩＳ  Ｋ６３０１のタイプＡデュロメータで６０度〜８０度である他のゴム又は樹脂が採用され得る。嵌合部４３は、円柱状に形成されており、その外径寸法は、上記本体３４の蓋収容部３７の内径寸法に対応している。また、フランジ部４４の外径寸法は、上記本体３４の小径部３９の外径寸法と同一である。したがって、蓋３５が本体３４に嵌め込まれることによって、尻栓２５は、図５が示すような樽形に形成される。上記フランジ部４４は、上記軟面部３１を構成している。また、フランジ部４４の軟面３０の中央には、細長の溝４５が設けられている。この溝４５は、上記硬面３２に設けられた溝４２と同一の形状であり、その幅寸法は、コインやドライバー等の工具が係合されるように設定されている。
【００３１】
この尻栓２５は、後に詳述される要領で元節１７に嵌め込まれるのであるが（図２参照）、元節１７に嵌め込まれた状態では、尻栓２５の上記軟面３０又は上記硬面３２が元節１７の後端面２６を構成する（図１参照）。
【００３２】
図２が示すように、元節１７の後端部２４の内側には、スリーブ４６が嵌め込まれている。図５は、このスリーブ４６の一部切断斜視図である。
【００３３】
スリーブ４６は、金属又は樹脂により構成されており、円筒状に形成されている。スリーブ４６の外径寸法は、元節１７の内径寸法に対応しており、スリーブ４６は、元節１７の後端部２４に隙間なく嵌合固定されている。スリーブ４６の後端側の内壁面には、雌ねじ４７が形成されている。この雌ねじ４７は、上記尻栓２５に設けられた雄ねじ４０と螺合するようになっており、これら雄ねじ４０及び雌ねじ４７は、上記保持機構２８を構成している。
【００３４】
すなわち、尻栓２５は、上記雄ねじ４９と雌ねじ４７が螺合する保持機構２８を介して元節１７の後端部２４にねじ込まれ、保持される。したがって、尻栓２５は、矢印５２（図２参照）の方向にねじ込まれることによって軟面部３１の軟面３０が露出し、逆に軟面部３１側から矢印５２に沿ってねじ込まれることによって硬面部３３の硬面３２が露出する。本明細書では、尻栓２５の軟面３０が露出する姿勢が第１姿勢と定義され、硬面３２が露出する姿勢が第２姿勢と定義される。
【００３５】
スリーブ４６の先端側の内壁面４９には、リブ４８が複数設けられている。このリブ４８は、内壁面４９の周方向に沿って放射状に４つ設けられており、径方向内側へ突出している。したがって、図２が示すように、リブ４８の後端部に段部５０が形成されている。なお、このリブ４８は、上記ズーム機構の一部を構成するものであって、元上節１６が元節１７内に収容された際に、元上節１６の後端部を嵌合支持するものである。したがって、ズーム機構が備えられていない釣竿においては、リブ４８は省略される。
【００３６】
上記雌ねじ４７は、スリーブ４６の後端から軸方向に沿って所定長さ（寸法Ａ）だけ形成されている。この寸法Ａは、尻栓２５の本体３４の大径部３８の長さ寸法Ａと同一である。したがって、尻栓２５が元節１７に螺合した場合、尻栓２５は無制限に元節１７にねじ込まれるのではなく、上記雌ねじ４７の端部までねじ込まれ、その位置で位置決めされる。このため、尻栓２５が元節１７にねじ込まれた状態では、軟面部３１又は硬面部３３が元節１７から確実に突出し、軟面３０又は硬面３２が確実に露出する。すなわち、上記雌ねじ４７の寸法Ａが及び上記雄ねじ４０の寸法Ａが規定されることによって、尻栓２５の元節１７に対する位置決め機構が構成されている。
【００３７】
尻栓２５の位置決め手段としては、上記位置決め機構に限定されるものではなく、スリーブ４６に形成された上記段部５０が採用されてもよい。具体的には、図２において、リブ４８がさらに後方まで伸ばされることによって段部５０もさらに後方に移動する。そして、尻栓２５がねじ込まれたときに、上記軟面部３１又は硬面部３３が元節１７から確実に突出するように、段部５０の位置が決定されればよい。つまり、尻栓２５がねじ込まれたときに、当該尻栓２５が段部５０に当接するように、当該段部５０の位置が決定されればよい。
【００３８】
本実施形態に係る釣竿１０では、実釣時において尻栓２５は、上記第１姿勢に保持され、元節１７の後端面２６の硬度が小さく設定される。したがって、実釣時において元節１７の後端部２４が釣人の身体にソフトに当接し、釣人にとって釣竿１０は、使い心地の良いものとなる。
【００３９】
ところで、釣竿１０は振出式に組み立てられていることから、場合によっては、隣り合う節同士が固着状態となることがある。このような場合には、尻栓２５が一端取り外され、再び第２姿勢に保持されることによって、元節１７の後端面２６の硬度が大きくなる。したがって、釣人が元節１７の後端面２６を地面等に打ち付けることによって、それにより発生する衝撃力で当該固着状態が容易に解除される。
【００４０】
特に本実施形態では、元節１７の後端面２６の硬度は、尻栓２５の姿勢変化によって変更されるので、硬度変更機構２７がきわめて簡単な構造となる。したがって、釣竿１０の製造コストが大幅に上昇することはないという利点がある。しかも、尻栓２５の姿勢変化は、尻栓２５と元節１７との螺合構造を介して簡単且つ迅速に行われるので、節の固着状態が発生した場合に釣人は、迅速にこれを解除することができるという利点もある。
【００４１】
さらに、尻栓２５の軟面３０及び硬面３２には、溝４５、４２が設けられているから、尻栓２５の着脱作業がきわめて簡単であるという利点もある。加えて、尻栓２５は、元節１７の所定位置に位置決めされるから、釣人が尻栓２５の姿勢を変化させる際に当該尻栓２５の元節１７に対する位置を監視する必要はなく、尻栓２５がねじ込まれ得る位置までねじ込むだけで、尻栓２５は上記軟面３０又は硬面３２が確実に露出するように自動的に位置決めされる。したがって、尻栓２５を姿勢変化させる作業がきわめて簡単である。
【産業上の利用可能性】
【００４２】
本発明は、振出式に組み立てられた釣竿一般に適用され得る。
【図面の簡単な説明】
【００４３】
【図１】図１は、本発明の一実施形態に係る釣竿の正面図である。
【図２】図２は、本発明の一実施形態に係る釣竿の元節の要部拡大分解正面図である。
【図３】図３は、本発明の一実施形態に係る釣竿の尻栓の分解斜視図である。斜視図である。
【図４】図４は、本発明の一実施形態に係る釣竿の尻栓の斜視図である。
【図５】図５は、本発明の一実施形態に係る釣竿の元節に設けられたスリーブの一部切断斜視図である。
【図６】図６は、従来の一般的な釣竿の正面図である。
【図７】図７は、節の固着状態を解除するための要領を示す図である。
【符号の説明】
【００４４】
１０・・・釣竿
１１・・・釣竿本体
１７・・・元節
２４・・・元節の後端部
２５・・・尻栓
２６・・・元節の後端面
２７・・・硬度変更機構
２８・・・保持機構
２９・・・カバー
３０・・・軟面
３１・・・軟面部
３２・・・硬面
３３・・・硬面部
３４・・・本体
３５・・・蓋
３６・・・開口
３７・・・蓋収容部
３８・・・大径部
３９・・・小径部
４０・・・雄ねじ
４１・・・段部
４２・・・溝
４３・・・嵌合部
４４・・・フランジ部
４５・・・溝
４６・・・スリーブ
４７・・・雌ねじ
４８・・・リブ
４９・・・内壁面
５０・・・段部
５１・・・端部
【図１】
2005210919.tif 000003
【図２】
2005210919.tif 000004
【図３】
2005210919.tif 000005
【図４】
2005210919.tif 000006
【図５】
2005210919.tif 000007
【図６】
2005210919.tif 000008
【図７】
2005210919.tif 000009